(57)【要約】【課題】蓄電装置を容易に取り付けることができる蓄電装置取付台を提供する。【解決手段】蓄電装置取付台２０は、蓄電素子１２０を有する蓄電装置１００が取り付けられる台座部２１０と、第一方向において台座部２１０とで蓄電装置１００を挟む位置に配置される第一固定具３１０と、台座部２１０に対して固定され、第一方向と交差する第二方向において第一固定具３１０が固定される被固定部２２０と、を備え、第一固定具３１０は、第二方向に対して傾斜した傾斜面であって、第一方向に向けて蓄電装置１００を押圧する第一傾斜面３１１を有する。【選択図】図４
2020149951.tif 000002
【特許請求の範囲】
【請求項１】
蓄電素子を有する蓄電装置が取り付けられる台座部と、
第一方向において前記台座部とで前記蓄電装置を挟む位置に配置される第一固定具と、
前記台座部に対して固定され、前記第一方向と交差する第二方向において前記第一固定具が固定される被固定部と、を備え、
前記第一固定具は、
前記第二方向に対して傾斜した傾斜面であって、前記第一方向に向けて前記蓄電装置を押圧する第一傾斜面を有する
蓄電装置取付台。
【請求項２】
前記第一傾斜面は、前記被固定部から離れるほど前記第一方向に向けて傾斜している
請求項１に記載の蓄電装置取付台。
【請求項３】
さらに、
前記蓄電装置と前記第一固定具との間に配置される第二固定具を備え、
前記第二固定具は、前記第一傾斜面と対向する位置に、前記第一傾斜面に沿って延びる第二傾斜面を有する
請求項１または２に記載の蓄電装置取付台。
【請求項４】
さらに、
前記第一固定具の前記台座部とは反対側に配置され、前記第一固定具の前記台座部とは反対側への移動を規制する規制部を備える
請求項１〜３のいずれか１項に記載の蓄電装置取付台。
【請求項５】
前記第一固定具は、前記規制部と対向する位置に、前記第二方向に対して傾斜した傾斜面であって、前記第一傾斜面とは反対方向に傾斜した第三傾斜面を有する
請求項４に記載の蓄電装置取付台。
【請求項６】
さらに、
前記規制部と前記第一固定具との間に配置される第三固定具を備え、
前記第三固定具は、前記第三傾斜面と対向する位置に、前記第三傾斜面に沿って延びる第四傾斜面を有する
請求項５に記載の蓄電装置取付台。
【請求項７】
前記第一固定具は、前記第一方向及び前記第二方向と交差する第三方向において、前記蓄電装置から突出して配置される突出部を有し、
前記突出部が、前記被固定部に固定される
請求項１〜６のいずれか１項に記載の蓄電装置取付台。
【発明の詳細な説明】
【技術分野】
【０００１】
本発明は、蓄電素子を有する蓄電装置が取り付けられる蓄電装置取付台に関する。
【背景技術】
【０００２】
従来、蓄電素子を有する蓄電装置が、蓄電装置取付台に取り付けられる構成が広く知られている。例えば、特許文献１には、複数の電池セル（蓄電素子）を有する電池モジュール（蓄電装置）が、ねじ部材によってブラケットを介してトレイ（蓄電装置取付台）に取り付けられる構成が開示されている。
【先行技術文献】
【特許文献】
【０００３】
【特許文献１】特開２０１５−４３３３６号公報
【発明の概要】
【発明が解決しようとする課題】
【０００４】
しかしながら、上記従来の構成では、蓄電装置の蓄電装置取付台への取り付けが困難になる場合があるという問題がある。つまり、蓄電装置は、省スペース化や軽量化等によって狭い場所に取り付けられることが多く、このような場合には、作業スペースが制限されて、上記従来のような構成では、取付作業が困難になるおそれがある。
【０００５】
本発明は、上記問題に鑑みてなされたものであり、蓄電装置を容易に取り付けることができる蓄電装置取付台を提供することを目的とする。
【課題を解決するための手段】
【０００６】
上記目的を達成するために、本発明の一態様に係る蓄電装置取付台は、蓄電素子を有する蓄電装置が取り付けられる台座部と、第一方向において前記台座部とで前記蓄電装置を挟む位置に配置される第一固定具と、前記台座部に対して固定され、前記第一方向と交差する第二方向において前記第一固定具が固定される被固定部と、を備え、前記第一固定具は、前記第二方向に対して傾斜した傾斜面であって、前記第一方向に向けて前記蓄電装置を押圧する第一傾斜面を有する。
【０００７】
これによれば、蓄電装置取付台は、第一方向において台座部とで蓄電装置を挟む第一固定具と、台座部に対して固定され第二方向において第一固定具が固定される被固定部とを備え、第一固定具は、第一方向に向けて蓄電装置を押圧する第一傾斜面を有している。このように、台座部に対して固定された被固定部に、第二方向において第一固定具を固定することで、第一固定具の第一傾斜面で蓄電装置を第一方向に向けて台座部に押圧する。つまり、第二方向における第一固定具の被固定部への固定作業によって、第一方向における蓄電装置の台座部への固定を行うことができる。これにより、蓄電装置を蓄電装置取付台に取り付ける際に、第一方向における作業が困難な場合でも、第二方向における作業を行えばよいため、取付作業の自由度を向上させることができ、蓄電装置を蓄電装置取付台に容易に取り付けることができる。
【０００８】
また、前記第一傾斜面は、前記被固定部から離れるほど前記第一方向に向けて傾斜していることにしてもよい。
【０００９】
これによれば、第一固定具の第一傾斜面は、被固定部から離れるほど第一方向に向けて傾斜している。これにより、第一固定具を被固定部に近付けるほど、第一傾斜面が第一方向に向けて蓄電装置を押圧することになる。このため、例えばネジで締め付けるなどにより第一固定具を被固定部に近付けることで、蓄電装置を台座部に押圧することができるため、蓄電装置を蓄電装置取付台に容易に取り付けることができる。
【００１０】
また、さらに、前記蓄電装置と前記第一固定具との間に配置される第二固定具を備え、前記第二固定具は、前記第一傾斜面と対向する位置に、前記第一傾斜面に沿って延びる第二傾斜面を有することにしてもよい。
【００１１】
これによれば、蓄電装置と第一固定具との間に第二固定具が配置されており、第二固定具は、第一固定具の第一傾斜面に沿う第二傾斜面を有している。これにより、第一傾斜面が第二傾斜面を面で押圧することとなるため、第一傾斜面からの力を第二傾斜面に容易に伝えることができ、蓄電装置を蓄電装置取付台に容易に取り付けることができる。
【００１２】
また、さらに、前記第一固定具の前記台座部とは反対側に配置され、前記第一固定具の前記台座部とは反対側への移動を規制する規制部を備えることにしてもよい。
【００１３】
これによれば、第一固定具の台座部とは反対側に、第一固定具の当該反対側への移動を規制する規制部が配置されている。このように、規制部によって、第一固定具の台座部とは反対側への移動を規制することができるため、第一固定具が蓄電装置とは反対側に逃げるのを抑制することができる。これにより、第一固定具が蓄電装置を台座部に容易に押圧することができるため、蓄電装置を蓄電装置取付台に容易に取り付けることができる。
【００１４】
また、前記第一固定具は、前記規制部と対向する位置に、前記第二方向に対して傾斜した傾斜面であって、前記第一傾斜面とは反対方向に傾斜した第三傾斜面を有することにしてもよい。
【００１５】
これによれば、第一固定具は、規制部と対向する位置に、第一傾斜面とは反対方向に傾斜した第三傾斜面を有している。このように、第一固定具が規制部と対向する第三傾斜面を有していることで、第一固定具が被固定部に固定される際に、第三傾斜面が第一方向に向けて規制部に押圧される。これにより、第一固定具が蓄電装置とは反対側に逃げるのをより抑制することができるため、第一固定具が蓄電装置を台座部に容易に押圧することができ、蓄電装置を蓄電装置取付台に容易に取り付けることができる。
【００１６】
また、さらに、前記規制部と前記第一固定具との間に配置される第三固定具を備え、前記第三固定具は、前記第三傾斜面と対向する位置に、前記第三傾斜面に沿って延びる第四傾斜面を有することにしてもよい。
【００１７】
これによれば、規制部と第一固定具との間に第三固定具が配置されており、第三固定具は、第一固定具の第三傾斜面に沿う第四傾斜面を有している。このように、第三固定具が第四傾斜面を有していることで、第四傾斜面が第一固定具の第三傾斜面を面で押圧することとなるため、第一固定具が蓄電装置とは反対側に逃げるのをより抑制することができる。これにより、第一固定具が蓄電装置を台座部に容易に押圧することができるため、蓄電装置を蓄電装置取付台に容易に取り付けることができる。
【００１８】
また、前記第一固定具は、前記第一方向及び前記第二方向と交差する第三方向において、前記蓄電装置から突出して配置される突出部を有し、前記突出部が、前記被固定部に固定されることにしてもよい。
【００１９】
これによれば、第一固定具は、第三方向において、蓄電装置から突出する突出部を有しており、突出部が、被固定部に固定されている。このように、第一固定具において、蓄電装置から突出した突出部を被固定部に固定することができるため、蓄電装置から突出した位置で、容易に、第一固定具を被固定部に固定することができる。これにより、第一固定具で蓄電装置を台座部に容易に押圧することができるため、蓄電装置を蓄電装置取付台に容易に取り付けることができる。
【００２０】
なお、本発明は、このような蓄電装置取付台として実現することができるだけでなく、当該蓄電装置取付台と蓄電装置とを備える蓄電設備としても実現することができる。
【発明の効果】
【００２１】
本発明における蓄電装置取付台によれば、蓄電装置を容易に取り付けることができる。
【図面の簡単な説明】
【００２２】
【図１】実施の形態に係る蓄電設備の外観を示す斜視図である。
【図２】実施の形態に係る蓄電装置の外観を示す斜視図である。
【図３】実施の形態に係る蓄電装置取付台が有する載置台の外観を示す斜視図である。
【図４】実施の形態に係る蓄電装置取付台が有する固定具の外観を示す斜視図である。
【図５】実施の形態に係る蓄電装置取付台が有する固定具の構成を示す側面図である。
【図６】実施の形態に係る蓄電装置取付台が奏する効果を説明するための図である。
【図７】実施の形態の変形例１に係る蓄電装置取付台が有する固定具の構成を示す側面図である。
【図８】実施の形態の変形例２に係る蓄電装置取付台が有する固定具の構成を示す側面図である。
【図９】実施の形態の変形例３に係る蓄電装置取付台が有する載置台、固定具及び固定部材の構成を示す側面図である。
【発明を実施するための形態】
【００２３】
以下、図面を参照しながら、本発明の実施の形態（及びその変形例）に係る蓄電装置取付台及びそれを備える蓄電設備について説明する。なお、以下で説明する実施の形態は、いずれも包括的または具体的な例を示すものである。以下の実施の形態で示される数値、形状、材料、構成要素、構成要素の配置位置及び接続形態、製造工程、製造工程の順序などは、一例であり、本発明を限定する主旨ではない。また、以下の実施の形態における構成要素のうち、最上位概念を示す独立請求項に記載されていない構成要素については、任意の構成要素として説明される。また、各図は、模式図であり、寸法等は必ずしも厳密に図示したものではない。さらに、各図において、同一または同様な構成要素については同じ符号を付している。
【００２４】
以下の説明及び図面中において、蓄電装置の長手方向、または、蓄電装置取付台の第一固定具と被固定部との並び方向（つまり第一固定具と被固定部との固定方向）をＸ軸方向と定義する。蓄電装置取付台の第一固定具の延設方向、または、第一固定具の突出部の突出方向をＹ軸方向と定義する。蓄電装置の高さ方向、蓄電装置を蓄電装置取付台の台座部と第一固定具とで挟む方向、蓄電装置取付台の台座部と第二固定具と第一固定具と第三固定具と規制部との並び方向、または、上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸プラス方向とは、Ｘ軸の矢印方向を示し、Ｘ軸マイナス方向とは、Ｘ軸プラス方向とは反対方向を示す。Ｙ軸方向及びＺ軸方向についても同様である。さらに、以下では、Ｘ軸方向を第二方向とも呼び、Ｙ軸方向を第三方向とも呼び、Ｚ軸マイナス方向を第一方向とも呼ぶこととする。
【００２５】
（実施の形態）
［１  蓄電設備の全般的な説明］
まず、本実施の形態における蓄電設備１０の全般的な説明を行う。図１は、本実施の形態に係る蓄電設備１０の外観を示す斜視図である。
【００２６】
図１に示すように、蓄電設備１０は、蓄電装置１００と、蓄電装置取付台２０とを備えている。
【００２７】
蓄電装置１００は、外部からの電気を充電し、また外部へ電気を放電することができる装置であり、本実施の形態では、略直方体形状を有している。例えば、蓄電装置１００は、電力貯蔵用途や電源用途などに使用される電池モジュール（組電池）である。具体的には、蓄電装置１００は、例えば、電車、モノレールまたはリニアモーターカー等の電気鉄道用の鉄道車両、電気自動車（ＥＶ）、ハイブリッド電気自動車（ＨＥＶ）またはプラグインハイブリッド電気自動車（ＰＨＥＶ）等の自動車、自動二輪車、ウォータークラフト、スノーモービル、農業機械、建設機械等の移動体の駆動用またはエンジン始動用のバッテリ等として用いられる。
【００２８】
蓄電装置取付台２０は、蓄電装置１００が取り付けられる取付台である。つまり、蓄電装置取付台２０は、上述の移動体等に固定されて配置されており、蓄電装置１００が取り付けられることで、蓄電装置１００を当該移動体等に固定する。ここで、蓄電装置取付台２０は、載置台２００と、固定具３００と、固定部材４００及び４０１とを有している。
【００２９】
載置台２００は、蓄電装置１００が載置される板状の部材である。固定具３００及び固定部材４００、４０１は、蓄電装置１００を載置台２００に対して固定するための部材である。つまり、載置台２００の上面（Ｚ軸プラス方向側の面）に蓄電装置１００が載置され、固定具３００及び固定部材４００、４０１によって、蓄電装置１００が載置台２００に対して固定される。具体的には、蓄電装置１００のＸ軸プラス方向の端部（後述の外装体突出部１１２）は、固定具３００及び固定部材４００によって載置台２００に固定される。また、蓄電装置１００のＸ軸マイナス方向の端部（後述の外装体突出部１１３）は、固定部材４０１によって載置台２００に固定される。
【００３０】
［２  蓄電装置の説明］
次に、蓄電装置１００の構成について、詳細に説明する。図２は、本実施の形態に係る蓄電装置１００の外観を示す斜視図である。なお、図２は、蓄電装置１００の外装体１１０を透視して、外装体１１０内方を示した図となっている。
【００３１】
図２に示すように、蓄電装置１００は、外装体１１０と、外装体１１０に収容された複数の蓄電素子１２０（本実施の形態では、８つの蓄電素子１２０）とを備えている。なお、蓄電装置１００は、外部からの電気を充電し外部へ電気を放電するための外部端子（正極外部端子及び負極外部端子）、複数の蓄電素子１２０を電気的に接続するバスバー等も備えているが、図示及び説明は省略する。また、蓄電装置１００は、当該バスバーの位置決めを行うバスバーフレーム、蓄電素子１２０間に配置されるスペーサ、蓄電素子１２０を拘束するエンドプレート、蓄電素子１２０の充電状態や放電状態を監視するための回路基板やリレー等の電気機器等も備えていてもよいが、これらについても図示及び説明は省略する。
【００３２】
蓄電素子１２０は、電気を充電し、また、電気を放電することのできる二次電池（単電池）であり、より具体的には、リチウムイオン二次電池などの非水電解質二次電池である。例えば、蓄電素子１２０は、直方体形状（角形）の容器と、一対の電極端子（正極端子及び負極端子）とを備えている。また、当該容器の内方には、正極板と負極板とセパレータとが積層されて形成された電極体（蓄電要素または発電要素ともいう）、及び、電極端子と電極体とを接続する一対の集電体（正極集電体及び負極集電体）等が配置され、また、電解液（非水電解質）が封入されている。
【００３３】
なお、本実施の形態では、直方体形状（角形）の８個の蓄電素子１２０を図示しているが、蓄電素子１２０の形状及び個数は、特に限定されない。また、蓄電素子１２０は、非水電解質二次電池には限定されず、非水電解質二次電池以外の二次電池であってもよいし、キャパシタであってもよい。また、蓄電素子１２０は、二次電池ではなく、使用者が充電をしなくても蓄えられている電気を使用できる一次電池であってもよい。さらに、蓄電素子１２０は、固体電解質を用いた電池であってもよい。
【００３４】
外装体１１０は、蓄電装置１００の外装体を構成する略直方体形状（箱型）の容器（モジュールケース）である。つまり、外装体１１０は、複数の蓄電素子１２０等の外方に配置され、これら蓄電素子１２０等を所定の位置に配置し、衝撃などから保護する。また、外装体１１０の材質は特に限定されないが、例えば、ポリカーボネート（ＰＣ）、ポリプロピレン（ＰＰ）、ポリエチレン（ＰＥ）、ポリフェニレンサルファイド樹脂（ＰＰＳ）、ポリブチレンテレフタレート（ＰＢＴ）またはＡＢＳ樹脂等の絶縁材料により構成されている。外装体１１０は、これにより、蓄電素子１２０等が外部の金属部材などに接触することを回避する。
【００３５】
具体的には、外装体１１０は、外装体本体部１１１と、外装体本体部１１１からＸ軸両方向に突出した外装体突出部１１２及び１１３とを有している。外装体本体部１１１は、外装体１１０の本体を構成する直方体形状の収容容器であり、内方に複数の蓄電素子１２０等が収容されている。外装体突出部１１２は、外装体本体部１１１のＸ軸プラス方向かつＺ軸マイナス方向の端部からＸ軸プラス方向に突出し、かつ、Ｙ軸方向に延設された矩形状かつ平板状の部位である。外装体突出部１１３は、外装体本体部１１１のＸ軸マイナス方向かつＺ軸マイナス方向の端部からＸ軸マイナス方向に突出し、かつ、Ｙ軸方向に延設された矩形状かつ平板状の部位である。また、外装体突出部１１３は、Ｙ軸両方向の端部に形成された２つの円形状の貫通孔１１３ａを有している。なお、外装体突出部１１３は、円形状の貫通孔１１３ａに代えて、例えばＵ字状の切り欠きを有していてもよい。
【００３６】
なお、外装体本体部１１１の形状は、特に限定されず、直方体形状以外の多角柱形状、円柱形状、楕円柱形状、長円形柱形状等、どのような形状であってもよい。また、外装体突出部１１２及び１１３についても、配置位置、大きさ及び形状は、特に限定されず、外装体突出部１１２及び１１３が載置台２００に固定できる配置位置、大きさ及び形状であればよい。また、外装体本体部１１１と外装体突出部１１２及び１１３とは、本実施の形態では、一体に形成されているが、外装体突出部１１２及び１１３の少なくとも一方が外装体本体部１１１と別体で構成されていてもよい。
【００３７】
［３  蓄電装置取付台の載置台の説明］
次に、蓄電装置取付台２０が有する載置台２００の構成について、詳細に説明する。図３は、本実施の形態に係る蓄電装置取付台２０が有する載置台２００の外観を示す斜視図である。
【００３８】
図３に示すように、載置台２００は、台座部２１０と、被固定部２２０と、規制部２３０とを有している。なお、載置台２００の材質は特に限定されないが、例えば、ステンレス鋼、アルミニウム、アルミニウム合金、鉄、メッキ鋼板等の金属、または、上述の外装体１１０と同様の樹脂等で形成されている。
【００３９】
台座部２１０は、載置台２００の本体を構成する部位であり、蓄電装置１００が取り付けられる平板状の基台である。つまり、図１及び図３に示すように、蓄電装置１００が台座部２１０に載置された状態で、固定具３００及び固定部材４００によって、蓄電装置１００の外装体突出部１１２が台座部２１０に対して固定される。また、固定部材４０１によって、蓄電装置１００の外装体突出部１１３が台座部２１０に対して固定される。これらにより、蓄電装置１００が、載置台２００に対して固定される。
【００４０】
具体的には、載置台２００のＸ軸プラス方向側については、固定具３００が固定部材４００によって載置台２００に対して固定されることで、外装体突出部１１２が、固定具３００と台座部２１０との間に挟まれる。固定部材４００は、例えば、ボルト及びナットを有する締結部位である。これにより、外装体突出部１１２が、載置台２００に対して押圧されて固定される。
【００４１】
載置台２００のＸ軸マイナス方向側については、外装体突出部１１３のＹ軸両方向の端部に形成された２つの貫通孔１１３ａのそれぞれに固定部材４０１が挿入されて、外装体突出部１１３が載置台２００に対して固定される（図６参照）。固定部材４０１は、例えば、ボルト及びナットを有する締結部位である。具体的には、台座部２１０のＸ軸マイナス方向かつＹ軸両方向の端部において、外装体突出部１１３の２つの貫通孔１１３ａに対応する位置に、２つの貫通孔２１１が形成されている。これにより、固定部材４０１が、貫通孔１１３ａ及び貫通孔２１１に挿入されて台座部２１０と締結されることで、外装体突出部１１３が台座部２１０に対して固定される。
【００４２】
なお、台座部２１０は、蓄電装置１００を載置できる形状であれば、平板状でなくてもよく、例えば、梁等で枠組みが構成された部位であってもよいし、メッシュ状に構成された部位であってもよい。
【００４３】
被固定部２２０は、載置台２００のＸ軸プラス方向の端部に立設されて配置された、固定具３００が固定される平板状の部位であり、台座部２１０に対して固定されている。具体的には、被固定部２２０は、台座部２１０のＸ軸プラス方向の端部寄りの部位からＺ軸プラス方向に突出し、かつ、台座部２１０のＹ軸方向の一端から他端に亘って延設されて配置されている。
【００４４】
また、被固定部２２０のＺ軸マイナス方向の端部には、Ｙ軸方向の一端部から他端部に亘ってＺ軸プラス方向に凹んだ第一開口部２２１が形成されている。第一開口部２２１は、蓄電装置１００が載置台２００に載置される際に、外装体突出部１１２が内方に配置される矩形状の開口部（凹部）である。つまり、第一開口部２２１と台座部２１０のＺ軸プラス方向側の面とで、Ｘ軸方向に貫通する貫通孔が形成され、この貫通孔内に、外装体突出部１１２が配置（挿入）される。なお、第一開口部２２１は、外装体突出部１１２を内方に配置可能な大きさ及び形状であればどのような大きさ及び形状の凹部であってもよく、また、凹部ではなく、Ｘ軸方向に貫通する貫通孔であってもよい。
【００４５】
さらに、被固定部２２０のＹ軸両方向の端部には、Ｘ軸方向に貫通する２つの第二開口部２２２が形成されている。第二開口部２２２は、固定部材４００が挿入される円形状の開口部（貫通孔）である。つまり、固定部材４００が第二開口部２２２に挿入されて被固定部２２０に締結されることで、Ｘ軸方向において固定具３００が被固定部２２０に固定される。なお、第二開口部２２２は、固定部材４００を挿入可能な大きさ及び形状であればどのような大きさ及び形状の貫通孔であってもよく、また、貫通孔ではなく、被固定部２２０のＹ軸方向の端部に形成された凹部（切り欠き）であってもよい。
【００４６】
規制部２３０は、被固定部２２０のＺ軸プラス方向の端縁からＸ軸プラス方向に突出し、かつ、被固定部２２０のＹ軸方向の一端から他端に亘って延設されて配置された矩形状かつ平板状の部位である。これにより、規制部２３０は、固定具３００の台座部２１０とは反対側（Ｚ軸プラス方向側）に被固定部２２０に対して固定されて配置され、固定具３００の台座部２１０とは反対側（Ｚ軸プラス方向側）への移動を規制する。
【００４７】
［４  蓄電装置取付台の固定具の説明］
次に、蓄電装置取付台２０が有する固定具３００の構成について、詳細に説明する。図４は、本実施の形態に係る蓄電装置取付台２０が有する固定具３００の外観を示す斜視図である。なお、図４は、図１に示した蓄電設備１０における固定具３００及びその周囲の構成を拡大して示す拡大斜視図である。図５は、本実施の形態に係る蓄電装置取付台２０が有する固定具３００の構成を示す側面図である。なお、図５は、図４に示した固定具３００及びその周囲をＹ軸マイナス方向から見た場合の構成を示す図である。
【００４８】
図４及び図５に示すように、固定具３００は、第一固定具３１０と、第二固定具３２０と、第三固定具３３０とを有している。第一固定具３１０、第二固定具３２０及び第三固定具３３０の材質は特に限定されないが、例えば、ステンレス鋼、アルミニウム、アルミニウム合金、鉄、メッキ鋼板等の金属、または、上述の外装体１１０と同様の樹脂等で形成されている。なお、第一固定具３１０、第二固定具３２０及び第三固定具３３０は、全てが同じ材質で形成されていてもよいし、いずれか１つまたは全てが異なる材質で形成されていてもよい。
【００４９】
［４．１  第一固定具の説明］
第一固定具３１０は、第一方向において台座部２１０とで蓄電装置１００を挟む位置に配置される部材であり、第一方向と交差する第二方向に対して傾斜した傾斜面であって第一方向に向けて蓄電装置１００を押圧する第一傾斜面３１１を有している。また、第一固定具３１０は、規制部２３０と対向する位置に、第二方向に対して傾斜した傾斜面であって、第一傾斜面３１１とは反対方向に傾斜した第三傾斜面３１２を有している。本実施の形態では、第一方向は、Ｚ軸マイナス方向であり、第二方向は、第一方向と直交する方向、つまり、Ｘ軸方向である。
【００５０】
具体的には、第一固定具３１０は、被固定部２２０のＹ軸方向の一端から他端に亘って延設されて配置された六角柱形状の部材であり、Ｘ軸方向（第二方向）において被固定部２２０に固定されている。つまり、図５に示すように、第一固定具３１０には貫通孔３１３が形成されており、この貫通孔３１３と被固定部２２０の第二開口部２２２とに固定部材４００のボルト４１０が挿入されてナット４２０と螺合することで、第一固定具３１０が被固定部２２０に固定される。
【００５１】
さらに具体的には、第一固定具３１０は、第一方向及び第二方向と交差する第三方向において、蓄電装置１００から突出して配置される突出部３１０ａを有しており、突出部３１０ａが、被固定部２２０に固定されている。本実施の形態では、第三方向は、第一方向及び第二方向と直交する方向、つまり、Ｙ軸方向である。つまり、図４に示すように、第一固定具３１０は、Ｙ軸両方向における両端部が、蓄電装置１００からＹ軸両方向に突出して配置されていることにより、第一固定具３１０は、蓄電装置１００からＹ軸両方向に突出する２つの突出部３１０ａを有していることとなる。そして、この２つの突出部３１０ａが、被固定部２２０に固定されることで、第一固定具３１０が被固定部２２０に固定される。
【００５２】
また、第一固定具３１０は、Ｚ軸方向において、第二固定具３２０を介して、台座部２１０とで蓄電装置１００の外装体突出部１１２を挟む位置に配置されている。つまり、台座部２１０、外装体突出部１１２、第二固定具３２０及び第一固定具３１０が、この順に、Ｚ軸プラス方向に向けて並んで配置されている。そして、第一固定具３１０は、Ｘ軸方向（具体的には、Ｘ軸方向及びＺ軸方向）に対して傾斜した傾斜面であって、第二固定具３２０を介してＺ軸マイナス方向に向けて外装体突出部１１２を押圧する第一傾斜面３１１を有している。第一傾斜面３１１は、被固定部２２０から離れるほどＺ軸マイナス方向（第一方向）に向けて傾斜した平面であり、Ｙ軸方向に延設されて配置されている。言い換えれば、第一傾斜面３１１は、Ｘ軸プラス方向に向かうほどＺ軸マイナス方向に向かうように傾斜した傾斜面である。つまり、第一傾斜面３１１は、Ｘ軸プラス方向側の端部がＸ軸マイナス方向側の端部よりもＺ軸マイナス方向側に位置するように傾斜した傾斜面である。
【００５３】
また、第一固定具３１０は、Ｚ軸方向において、規制部２３０とで第三固定具３３０を挟む位置に配置されている。つまり、第一固定具３１０、第三固定具３３０及び規制部２３０が、この順に、Ｚ軸プラス方向に向けて並んで配置されている。このように、規制部２３０が、第一固定具３１０の台座部２１０とは反対側に配置されており、この規制部２３０によって、第一固定具３１０は、台座部２１０とは反対側への移動が規制される。
【００５４】
そして、第一固定具３１０は、第三固定具３３０を介して規制部２３０と対向する位置、つまり、第三固定具３３０と対向する位置に、Ｘ軸方向（具体的には、Ｘ軸方向及びＺ軸方向）に対して傾斜した第三傾斜面３１２を有している。第三傾斜面３１２は、第一傾斜面３１１とは反対方向に傾斜した傾斜面、つまり、被固定部２２０から離れるほどＺ軸プラス方向（第一方向とは反対方向）に向けて傾斜した平面であり、Ｙ軸方向に延設されて配置されている。言い換えれば、第三傾斜面３１２は、Ｘ軸プラス方向に向かうほどＺ軸プラス方向に向かうように傾斜した傾斜面である。つまり、第三傾斜面３１２は、Ｘ軸プラス方向側の端部がＸ軸マイナス方向側の端部よりもＺ軸プラス方向側に位置するように傾斜した傾斜面である。
【００５５】
なお、第三傾斜面３１２は、第二方向に対して傾斜した傾斜面であって、第一方向に向けて蓄電装置１００を押圧する第一傾斜面の一例とすることができる。
【００５６】
［４．２  第二固定具の説明］
第二固定具３２０は、蓄電装置１００と第一固定具３１０との間において、第一固定具３１０のＹ軸方向の一端から他端に亘って延設されて配置された三角柱形状の部材である。つまり、第二固定具３２０は、Ｚ軸方向において、蓄電装置１００の外装体突出部１１２と第一固定具３１０とに挟まれる位置、かつ、台座部２１０とで外装体突出部１１２を挟む位置に配置されている。
【００５７】
そして、第二固定具３２０は、第一固定具３１０の第一傾斜面３１１と対向する位置に、第一傾斜面３１１に沿って延びる第二傾斜面３２１を有している。第二傾斜面３２１は、被固定部２２０から離れるほどＺ軸マイナス方向に向けて傾斜した平面であり、Ｙ軸方向に延設されて配置されている。また、第二固定具３２０のＸ軸マイナス方向側の面は、被固定部２２０に沿ってＹ軸方向に延設されて配置され、第二固定具３２０のＺ軸マイナス方向側の面は、蓄電装置１００の外装体突出部１１２に沿ってＹ軸方向に延設されて配置されている。つまり、第二固定具３２０は、第一固定具３１０の第一傾斜面３１１と、被固定部２２０のＸ軸プラス方向側の面と、外装体突出部１１２のＺ軸プラス方向側の面とに当接した状態で配置されている。
【００５８】
なお、第二固定具３２０は、被固定部２２０に対して固定されていてもよいし、被固定部２２０に係合または嵌合されることで、被固定部２２０に対して位置決めされていてもよい。また、載置台２００は、第二固定具３２０のＹ軸方向への移動を規制する規制部を有していてもよい。
【００５９】
ここで、第二固定具３２０は、第一方向において台座部２１０とで蓄電装置１００を挟む位置に配置され、第二方向において被固定部２２０に固定される第一固定具の一例とすることができる。この場合、第二傾斜面３２１は、第二方向に対して傾斜した傾斜面であって、第一方向に向けて蓄電装置１００を押圧する第一傾斜面の一例とすることができる。
【００６０】
［４．３  第三固定具の説明］
第三固定具３３０は、規制部２３０と第一固定具３１０との間において、第一固定具３１０のＹ軸方向の一端から他端に亘って延設されて配置された三角柱形状の部材である。つまり、第三固定具３３０は、Ｚ軸方向において、規制部２３０と第一固定具３１０とに挟まれる位置に配置されている。
【００６１】
そして、第三固定具３３０は、第一固定具３１０の第三傾斜面３１２と対向する位置に、第三傾斜面３１２に沿って延びる第四傾斜面３３１を有している。第四傾斜面３３１は、第二傾斜面３２１とは反対方向に傾斜した傾斜面、つまり、被固定部２２０から離れるほどＺ軸プラス方向に向けて傾斜した平面であり、Ｙ軸方向に延設されて配置されている。また、第三固定具３３０のＸ軸マイナス方向側の面は、被固定部２２０に沿ってＹ軸方向に延設されて配置され、第三固定具３３０のＺ軸プラス方向側の面は、規制部２３０に沿ってＹ軸方向に延設されて配置されている。つまり、第三固定具３３０は、第一固定具３１０の第三傾斜面３１２と、被固定部２２０のＸ軸プラス方向側の面と、規制部２３０のＺ軸マイナス方向側の面とに当接した状態で配置されている。
【００６２】
なお、第三固定具３３０は、被固定部２２０及び規制部２３０の少なくとも一方に固定されていてもよいし、当該少なくとも一方に係合または嵌合されることで、当該少なくとも一方に対して位置決めされていてもよい。また、載置台２００は、第三固定具３３０のＹ軸方向への移動を規制する規制部を有していてもよい。
【００６３】
ここで、第三固定具３３０は、第一方向において台座部２１０とで蓄電装置１００を挟む位置に配置され、第二方向において被固定部２２０に固定される第一固定具の一例とすることができる。この場合、第四傾斜面３３１は、第二方向に対して傾斜した傾斜面であって、第一方向に向けて蓄電装置１００を押圧する第一傾斜面の一例とすることができる。
【００６４】
［５  効果の説明］
次に、蓄電装置取付台２０が奏する効果について、詳細に説明する。図６は、本実施の形態に係る蓄電装置取付台２０が奏する効果を説明するための図である。具体的には、図６は、蓄電装置取付台２０に複数の蓄電装置１００（図６では６個の蓄電装置１００ａ〜１００ｆ）が取り付けられている状態を示している。つまり、図６における蓄電装置取付台２０は、当該複数の蓄電装置１００を載置可能な載置台２００と、当該複数の蓄電装置１００に対応する固定具３００、固定部材４００及び４０１とを有している。
【００６５】
蓄電素子１２０を有する蓄電装置１００は、重量物になることが多く、蓄電装置取付台２０に強固に取り付ける必要がある。例えば、車または鉄道車両等の移動体に蓄電装置１００を配置する場合には、蓄電装置１００の揺れを抑制する必要があり、移動体でなくても、地震等の振動に対して強固に取り付けておくのが好ましい。しかしながら、蓄電装置１００は、省スペース化や軽量化等によって狭い場所に取り付けられることが多いため、強固に取り付けるための取付作業が困難になる場合がある。
【００６６】
例えば、図６に示す蓄電装置１００ａ及び蓄電装置１００ｄ等のように、蓄電装置１００の外装体突出部１１２同士が向かい合って配置されている場合、蓄電装置１００の奥側（蓄電装置１００ａのＸ軸プラス方向側、及び、蓄電装置１００ｄのＸ軸マイナス方向側）の作業は非常に困難になる。また、外装体突出部１１２の上方（Ｚ軸プラス方向）に他の部材が配置されていたりして、外装体突出部１１２に上方からアクセスするのが困難な場合がある。
【００６７】
通常、蓄電装置１００は、蓄電装置１００が配置される床面に対して固定されることが多いため、当該床面に対して垂直な方向でボルト等により固定されることが多い。そして、当該床面への固定に適するように、例えば、図２の貫通孔１１３ａのような孔が、蓄電装置１００の奥側の外装体突出部１１２にも設けられる。このような蓄電装置１００に対して、上記の配置環境では、蓄電装置１００の奥側の固定のためにボルト等をＺ軸方向に締結するような作業は困難なものとなる。ここで、蓄電装置１００の設置環境に合わせて蓄電装置１００の固定構造を設計することも考えられるが、蓄電装置１００のコストアップとなり好ましくない。上記のような場合、蓄電装置１００ａの奥側の外装体突出部１１２については、第一固定具３１０等を介して、図６におけるＸ軸マイナス方向側からアクセスすることができる。蓄電装置１００ｄの奥側の外装体突出部１１２については、第一固定具３１０等を介して、図６におけるＸ軸プラス方向側からアクセスすることができる。
【００６８】
このような構成としては、例えば、鉄道車両等に搭載される外装ケース（電池収納箱）内に、複数の蓄電装置１００がＹ軸方向に配列された蓄電装置群が、Ｘ軸方向に２列並べられて配置されている蓄電設備（電池パック）を例示することができる。当該外装ケースは、それぞれの蓄電装置群の前面（例えばＸ軸プラス方向側の蓄電装置群のＸ軸プラス方向側の面）に対向する位置に、開閉可能な扉（開閉カバー）を有している。これにより、それぞれの蓄電装置１００には、Ｚ軸方向からのアクセスは困難であるが、Ｘ軸方向からはアクセスすることができる。
【００６９】
このため、本発明の実施の形態に係る蓄電装置取付台２０によれば、第二方向（Ｘ軸方向）において第一固定具３１０が被固定部２２０に固定されることで、第一固定具３１０の第一傾斜面３１１が、第一方向（Ｚ軸マイナス方向）に向けて蓄電装置１００を押圧する。つまり、台座部２１０に対して固定された被固定部２２０に、第二方向において第一固定具３１０を固定することで、第一固定具３１０の第一傾斜面３１１で蓄電装置１００の外装体突出部１１２を第一方向に向けて台座部２１０に押圧する。これにより、第二方向における第一固定具３１０の被固定部２２０への固定作業によって、第一方向における外装体突出部１１２の台座部２１０への固定を行うことができる。このように、蓄電装置１００を蓄電装置取付台２０に取り付ける際に、第一方向における作業が困難な場合でも、第二方向における作業を行えばよいため、取付作業の自由度を向上させることができる。これにより、蓄電装置１００を蓄電装置取付台２０に容易に取り付けることができる。
【００７０】
また、第一固定具３１０の第一傾斜面３１１は、被固定部２２０から離れるほど第一方向に向けて傾斜している。これにより、第一固定具３１０を被固定部２２０に近付けるほど、第一傾斜面３１１が第一方向に向けて外装体突出部１１２を押圧することになる。このため、固定部材４００のボルト４１０をナット４２０に対して締め付けて第一固定具３１０を被固定部２２０に近付けることで、外装体突出部１１２を台座部２１０に押圧することができるため、蓄電装置１００を蓄電装置取付台２０に容易に取り付けることができる。また、第一固定具３１０を被固定部２２０に近付けるという簡単な作業を行うことで外装体突出部１１２を台座部２１０に押圧することができるため、容易に、蓄電装置１００を蓄電装置取付台２０に強固に固定することができる。
【００７１】
また、外装体突出部１１２と第一固定具３１０との間に第二固定具３２０が配置されており、第二固定具３２０は、第一固定具３１０の第一傾斜面３１１に沿う第二傾斜面３２１を有している。これにより、第一傾斜面３１１が第二傾斜面３２１を面で押圧することとなるため、第一傾斜面３１１からの力を第二傾斜面３２１に容易に伝えることができ、蓄電装置１００を蓄電装置取付台２０に容易に取り付けることができる。また、第一傾斜面３１１からの力を第二傾斜面３２１が面で受けることができるため、第二固定具３２０が外装体突出部１１２を台座部２１０に強固に押圧することができ、蓄電装置１００を蓄電装置取付台２０に強固に固定することができる。
【００７２】
また、第一固定具３１０の台座部２１０とは反対側に、第一固定具３１０の当該反対側への移動を規制する規制部２３０が配置されている。このように、規制部２３０によって、第一固定具３１０の台座部２１０とは反対側への移動を規制することができるため、第一固定具３１０が外装体突出部１１２とは反対側に逃げるのを抑制することができる。これにより、第一固定具３１０が外装体突出部１１２を台座部２１０に容易に押圧することができるため、蓄電装置１００を蓄電装置取付台２０に容易に取り付けることができる。また、第一固定具３１０が外装体突出部１１２とは反対側に逃げるのを抑制することができるため、第一固定具３１０が外装体突出部１１２を台座部２１０に強固に押圧することができ、蓄電装置１００を蓄電装置取付台２０に強固に固定することができる。
【００７３】
また、第一固定具３１０は、規制部２３０と対向する位置に、第一傾斜面３１１とは反対方向に傾斜した第三傾斜面３１２を有している。このように、第一固定具３１０が規制部２３０と対向する第三傾斜面３１２を有していることで、第一固定具３１０が被固定部２２０に固定される際に、第三傾斜面３１２が第一方向に向けて規制部２３０に押圧される。これにより、第一固定具３１０が外装体突出部１１２とは反対側に逃げるのをより抑制することができるため、第一固定具３１０が外装体突出部１１２を台座部２１０に容易に押圧することができ、蓄電装置１００を蓄電装置取付台２０に容易に取り付けることができる。また、第一固定具３１０が外装体突出部１１２とは反対側に逃げるのをより抑制することができるため、第一固定具３１０が外装体突出部１１２をより強固に台座部２１０に押圧することができ、蓄電装置１００をより強固に蓄電装置取付台２０に固定することができる。
【００７４】
また、規制部２３０と第一固定具３１０との間に第三固定具３３０が配置されており、第三固定具３３０は、第一固定具３１０の第三傾斜面３１２に沿う第四傾斜面３３１を有している。このように、第三固定具３３０が第四傾斜面３３１を有していることで、第四傾斜面３３１が第一固定具３１０の第三傾斜面３１２を面で押圧することとなるため、第一固定具３１０が外装体突出部１１２とは反対側に逃げるのをより抑制することができる。これにより、第一固定具３１０が外装体突出部１１２を台座部２１０に容易に押圧することができるため、蓄電装置１００を蓄電装置取付台２０に容易に取り付けることができる。また、第一固定具３１０が外装体突出部１１２とは反対側に逃げるのをより抑制することができるため、第一固定具３１０が外装体突出部１１２をより強固に台座部２１０に押圧することができ、蓄電装置１００をより強固に蓄電装置取付台２０に固定することができる。
【００７５】
また、第一固定具３１０は、第三方向（Ｙ軸方向）において、蓄電装置１００から突出する突出部３１０ａを有しており、突出部３１０ａが、被固定部２２０に固定されている。このように、第一固定具３１０において、蓄電装置１００から突出した突出部３１０ａを被固定部２２０に固定することができるため、蓄電装置１００から突出した位置で、容易に、第一固定具３１０を被固定部２２０に固定することができる。これにより、第一固定具３１０で外装体突出部１１２を台座部２１０に容易に押圧することができるため、蓄電装置１００を蓄電装置取付台２０に容易に取り付けることができる。
【００７６】
［６  変形例の説明］
（変形例１）
次に、上記実施の形態の変形例１について、説明する。図７は、本実施の形態の変形例１に係る蓄電装置取付台２０ａが有する固定具３００ａの構成を示す側面図である。具体的には、図７は、図５に対応する図である。
【００７７】
図７に示すように、本変形例における蓄電装置取付台２０ａは、上記実施の形態における蓄電装置取付台２０が有する固定具３００に代えて、固定具３００ａを有している。固定具３００ａは、上記実施の形態における固定具３００が有する第二固定具３２０及び第三固定具３３０に代えて、第二固定具３２０ａ及び第三固定具３３０ａを有している。その他の構成については、上記実施の形態と同様のため、詳細な説明は省略する。
【００７８】
第二固定具３２０ａ及び第三固定具３３０ａは、第一固定具３１０のＹ軸方向の一端から他端に亘って延設されて配置された四角柱形状の部材である。具体的には、第二固定具３２０ａは、被固定部２２０のＸ軸プラス方向側の面と、外装体突出部１１２のＺ軸プラス方向側の面とは、面で当接しているが、第一固定具３１０の第一傾斜面３１１とは、角部が当接した状態で配置されている。つまり、第二固定具３２０ａは、上記実施の形態における第二固定具３２０が有する第二傾斜面３２１を有していない。第三固定具３３０ａについても同様に、上記実施の形態における第四傾斜面３３１を有していない。
【００７９】
以上のように、本変形例に係る蓄電装置取付台２０ａによれば、上記実施の形態と同様の効果を奏することができる。特に、本変形例では、第二固定具３２０ａ及び第三固定具３３０ａが、第一固定具３１０の第一傾斜面３１１及び第三傾斜面３１２に沿った傾斜面を有していない。これにより、第二固定具３２０ａ及び第三固定具３３０ａを、四角柱という単純な形状で作製すればよいため、蓄電装置取付台２０ａの製造を容易にすることができる。
【００８０】
（変形例２）
次に、上記実施の形態の変形例２について、説明する。図８は、本実施の形態の変形例２に係る蓄電装置取付台２０ｂが有する固定具３００ｂの構成を示す側面図である。具体的には、図８は、図５に対応する図である。
【００８１】
図８に示すように、本変形例における蓄電装置取付台２０ｂは、上記実施の形態における蓄電装置取付台２０が有する固定具３００に代えて、固定具３００ｂを有している。固定具３００ｂは、上記実施の形態における固定具３００が有する第一固定具３１０に代えて、第一固定具３１０ｂを有している。その他の構成については、上記実施の形態と同様のため、詳細な説明は省略する。
【００８２】
第一固定具３１０ｂは、被固定部２２０のＹ軸方向の一端から他端に亘って延設されて配置された四角柱形状の部材である。具体的には、第一固定具３１０ｂは、第二固定具３２０及び第三固定具３３０に、角部が当接した状態で配置されている。つまり、第一固定具３１０ｂは、上記実施の形態における第一固定具３１０が有する第一傾斜面３１１及び第三傾斜面３１２を有していない。
【００８３】
以上のように、本変形例に係る蓄電装置取付台２０ｂによれば、上記実施の形態と同様の効果を奏することができる。特に、本変形例では、第一固定具３１０ｂが、第二固定具３２０の第二傾斜面３２１及び第三固定具３３０の第四傾斜面３３１に沿った傾斜面を有していない。これにより、第一固定具３１０ｂを、四角柱という単純な形状で作製すればよいため、蓄電装置取付台２０ｂの製造を容易にすることができる。
【００８４】
（変形例３）
次に、上記実施の形態の変形例３について、説明する。図９は、本実施の形態の変形例３に係る蓄電装置取付台２０ｃが有する載置台２００ｃ、固定具３００ｃ及び固定部材４００ｃの構成を示す側面図である。具体的には、図９は、図５に対応する図である。
【００８５】
図９に示すように、本変形例における蓄電装置取付台２０ｃは、上記実施の形態における蓄電装置取付台２０が有する載置台２００、固定具３００及び固定部材４００に代えて、載置台２００ｃ、固定具３００ｃ及び固定部材４００ｃを有している。載置台２００ｃは、上記実施の形態における載置台２００の構成に加えて、被固定部２４０を有している。固定具３００ｃ及び固定部材４００ｃは、上記実施の形態における固定具３００及び固定部材４００を、Ｙ軸まわりに１８０°回転させた構成を有している。その他の構成については、上記実施の形態と同様のため、詳細な説明は省略する。
【００８６】
被固定部２４０は、規制部２３０のＸ軸プラス方向の端縁と台座部２１０とを繋ぐＹＺ平面に平行な平板状の部位であり、被固定部２２０と同様の形状を有している。そして、固定具３００ｃは、固定部材４００ｃによって被固定部２４０に対して固定されている。つまり、固定部材４００ｃのボルト４１０が、被固定部２４０の開口部２４１と第一固定具３１０の貫通孔３１３と被固定部２２０の第二開口部２２２とに挿入されてナット４２０と螺合することで、第一固定具３１０が被固定部２４０に固定される。これにより、上記実施の形態と同様に、固定具３００ｃが蓄電装置１００の外装体突出部１１２を台座部２１０に向けて押圧することで、蓄電装置１００が蓄電装置取付台２０ｃに取り付けられる。
【００８７】
以上のように、本変形例に係る蓄電装置取付台２０ｃによれば、上記実施の形態と同様の効果を奏することができる。特に、本変形例では、第一固定具３１０がＸ軸プラス方向側の被固定部２４０に固定されるため、Ｘ軸プラス方向側からアクセスすることで、第一固定具３１０を被固定部２４０に固定することができる。このため、Ｘ軸マイナス方向側からのアクセスが困難な場合でも、蓄電装置１００を蓄電装置取付台２０ｃに容易に取り付けることができる。
【００８８】
なお、本変形例において、Ｘ軸マイナス方向側からアクセスできる構成にしてもよい。例えば、ボルト４１０の向きを上記実施の形態と同様に配置して、ボルト４１０でナット４２０をＸ軸プラス方向に移動させることにより、第一固定具３１０を被固定部２４０に向けて押圧して、第一固定具３１０を被固定部２４０に対して固定することにしてもよい。
【００８９】
（その他の変形例）
以上、本発明の実施の形態及びその変形例に係る蓄電装置取付台について説明したが、本発明は、この実施の形態及びその変形例に限定されない。つまり、今回開示された実施の形態及びその変形例は、全ての点で例示であって制限的なものではない。本発明の範囲は上記した説明ではなく、特許請求の範囲と均等の意味及び範囲内での全ての変更が含まれる。
【００９０】
例えば、上記実施の形態及びその変形例では、蓄電装置取付台が有する被固定部、規制部２３０、第一固定具、第二固定具、及び、第三固定具は、Ｙ軸方向に延設されて形成されていることとした。しかし、これらの部材の形状は特に限定されず、これらの部材のうちのいずれかの部材が、上記実施の形態及びその変形例の場合の長さよりも、Ｙ軸方向に短く形成されていることにしてもよい。また、これらの部材のうち、柱状の部材を様々な柱形状に形成することができ、板状の部材を様々な板形状に形成することができ、また、板状の部材を柱状に形成することもでき、柱状の部材を板状に形成することもできる。
【００９１】
また、上記実施の形態及びその変形例では、蓄電装置１００の外装体突出部１１２が、台座部２１０と固定具とで挟まれて、台座部２１０に対して固定されることとした。しかし、蓄電装置１００が有するどのような部位が、台座部２１０に対して固定されてもよい。例えば、複数の蓄電素子１２０を有する蓄電モジュールが平板状部材に載置され、当該平板状部材が蓄電モジュールから突出しており、当該平板状部材の突出した部位が台座部２１０に対して固定されることにしてもよい。または、蓄電装置１００は外装体突出部１１２のような突出した部位を有しておらず、外装体本体部１１１が、台座部２１０と固定具とで挟まれて、台座部２１０に対して固定されることにしてもよい。
【００９２】
また、上記実施の形態及びその変形例では、固定具は、第一固定具と第二固定具と第三固定具とを有していることとした。しかし、第一固定具が第一傾斜面で蓄電装置１００を押圧することができれば、固定具は、第二固定具及び第三固定具の少なくとも一方を有していないことにしてもよい。
【００９３】
また、上記実施の形態及びその変形例では、載置台は、規制部２３０を有していることとした。しかし、第一固定具が第一傾斜面で蓄電装置１００を押圧することができれば、載置台は、規制部２３０を有していないことにしてもよい。
【００９４】
また、上記実施の形態及びその変形例では、蓄電装置取付台のＸ軸プラス方向の端部に固定具が配置されて、蓄電装置１００が取り付けられることとした。しかし、蓄電装置取付台のＸ軸マイナス方向の端部においても、Ｘ軸プラス方向の端部と同様に固定具が配置されることにしてもよい。
【００９５】
また、上記実施の形態及びその変形例では、蓄電装置取付台のＸ軸プラス方向のＹ軸両方向の端部において、第一固定具が被固定部に固定されることとした。しかし、蓄電装置取付台のＸ軸プラス方向の、Ｙ軸プラス方向またはＹ軸マイナス方向のいずれかの端部においては、第一固定具が被固定部に固定される構成ではないことにしてもよい。
【００９６】
また、上記実施の形態及びその変形例では、第一固定具は、蓄電装置１００から突出する突出部３１０ａを有しており、突出部３１０ａが、被固定部に固定されることとした。しかし、第一固定具は、突出部３１０ａを有しておらず、蓄電装置１００から突出しない位置で、被固定部に固定されることにしてもよい。
【００９７】
また、上記実施の形態及び上記変形例を任意に組み合わせて構築される形態も、本発明の範囲内に含まれる。
【００９８】
また、本発明は、このような蓄電装置取付台として実現することができるだけでなく、蓄電装置取付台と蓄電装置１００とを備える蓄電設備１０としても実現することができる。
【産業上の利用可能性】
【００９９】
本発明は、リチウムイオン二次電池などの蓄電素子を有する蓄電装置が取り付けられる蓄電装置取付台等に適用できる。
【符号の説明】
【０１００】
１０  蓄電設備
２０、２０ａ、２０ｂ、２０ｃ  蓄電装置取付台
１００、１００ａ〜１００ｆ  蓄電装置
１１０  外装体
１１１  外装体本体部
１１２、１１３  外装体突出部
１１３ａ、２１１、３１３  貫通孔
１２０  蓄電素子
２００、２００ｃ  載置台
２１０  台座部
２２０、２４０  被固定部
２２１  第一開口部
２２２  第二開口部
２３０  規制部
２４１  開口部
３００、３００ａ、３００ｂ、３００ｃ  固定具
３１０、３１０ｂ  第一固定具
３１０ａ  突出部
３１１  第一傾斜面
３１２  第三傾斜面
３２０、３２０ａ  第二固定具
３２１  第二傾斜面
３３０、３３０ａ  第三固定具
３３１  第四傾斜面
４００、４００ｃ、４０１  固定部材
４１０  ボルト
４２０  ナット
【図１】
2020149951.tif 000003
【図２】
2020149951.tif 000004
【図３】
2020149951.tif 000005
【図４】
2020149951.tif 000006
【図５】
2020149951.tif 000007
【図６】
2020149951.tif 000008
【図７】
2020149951.tif 000009
【図８】
2020149951.tif 000010
【図９】
2020149951.tif 000011